【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
沸点が異なる低沸点冷媒と高沸点冷媒とが混合された非共沸混合冷媒を圧縮する圧縮機と、
該圧縮機から導かれた非共沸混合冷媒を凝縮させる凝縮器と、
該凝縮器から導かれた非共沸混合冷媒を膨張させる膨張弁と、
該膨張弁から導かれた非共沸混合冷媒を蒸発させる蒸発器と、
前記凝縮器と前記膨張弁との間から非共沸混合冷媒の一部を取り出す取出配管と、
該取出配管に設けられた取出配管用開閉弁と、
前記取出配管に接続され、非共沸混合冷媒を貯留して気液分離する気液分離器と、
前記膨張弁と前記蒸発器との間と前記気液分離器内のガス相部とを接続し、前記気液分離器によって分離された非共沸混合冷媒のガス相を前記膨張弁と前記蒸発器との間へガス冷媒として戻すガス戻り配管と、
該ガス戻り配管に設けられたガス戻り配管用開閉弁と、
前記膨張弁と前記蒸発器との間と前記気液分離器内の液相部とを接続する液戻り配管と、
前記液戻り配管に設けられた液戻り配管用開閉弁と、
前記取出配管用開閉弁、前記ガス戻り配管用開閉弁および前記液戻り配管用開閉弁を制御する制御部と、
を備えていることを特徴とする冷凍装置。
【請求項２】
前記制御部は、暖房運転時に、外気温度が所定値未満または前記蒸発器の温度が所定値未満となった場合に、前記取出配管用開閉弁を開とし、前記ガス戻り配管用開閉弁を開として、前記気液分離器で分離したガス冷媒を前記ガス戻り配管から前記蒸発器側へと戻す分離運転を行うことを特徴とする請求項１に記載の冷凍装置。
【請求項３】
前記制御部は、前記分離運転を開始してから所定期間経過後に、または、前記圧縮機が吸い込む非共沸混合冷媒の過熱度が所定値未満となった後に、前記取出配管用開閉弁を閉とすることを特徴とする請求項２に記載の冷凍装置。
【請求項４】
前記制御部は、外気温度が所定値以上または前記圧縮機から吐出される吐出ガス温度が所定値以上となった場合に、前記取出配管用開閉弁を開とし、前記ガス戻り配管用開閉弁を閉とし、前記液戻り配管用開閉弁を開とすることを特徴とする請求項２又は３に記載の冷凍装置。
【請求項５】
前記制御部は、冷房運転時に、前記取出配管用開閉弁を開とし、前記ガス戻り配管用開閉弁を開とすることを特徴とする請求項１に記載の冷凍装置。
【請求項６】
前記制御部は、前記圧縮機から吐出される吐出ガス温度が所定値以上となった場合に、前記取出配管用開閉弁を開とし、前記ガス戻り配管用開閉弁を閉とし、前記液戻り配管用開閉弁を開とすることを特徴とする請求項４に記載の冷凍装置。
【請求項７】
沸点が異なる低沸点冷媒と高沸点冷媒とが混合された非共沸混合冷媒を圧縮する圧縮機と、
該圧縮機から導かれた非共沸混合冷媒を凝縮させる凝縮器と、
該凝縮器から導かれた非共沸混合冷媒を膨張させる膨張弁と、
該膨張弁から導かれた非共沸混合冷媒を蒸発させる蒸発器と、
前記凝縮器と前記膨張弁との間から非共沸混合冷媒の一部を取り出す取出配管と、
該取出配管に設けられた取出配管用開閉弁と、
前記取出配管に接続され、非共沸混合冷媒を貯留して気液分離する気液分離器と、
前記膨張弁と前記蒸発器との間と前記気液分離器内のガス相部とを接続し、前記気液分離器によって分離された非共沸混合冷媒のガス相を前記膨張弁と前記蒸発器との間へガス冷媒として戻すガス戻り配管と、
該ガス戻り配管に設けられたガス戻り配管用開閉弁と、
前記膨張弁と前記蒸発器との間と前記気液分離器内の液相部とを接続する液戻り配管と、
前記液戻り配管に設けられた液戻り配管用開閉弁と、
を備えた冷凍装置の制御方法であって、
前記取出配管用開閉弁、前記ガス戻り配管用開閉弁および前記液戻り配管用開閉弁の開閉制御を行うことを特徴とする冷凍装置の制御方法。
【手続補正２】
【補正対象書類名】明細書
【補正対象項目名】００１０
【補正方法】変更
【補正の内容】
【００１０】
上記課題を解決するために、本発明の冷凍装置及びその制御方法は以下の手段を採用する。
すなわち、本発明にかかる冷凍装置は、沸点が異なる低沸点冷媒と高沸点冷媒とが混合された非共沸混合冷媒を圧縮する圧縮機と、該圧縮機から導かれた非共沸混合冷媒を凝縮させる凝縮器と、該凝縮器から導かれた非共沸混合冷媒を膨張させる膨張弁と、該膨張弁から導かれた非共沸混合冷媒を蒸発させる蒸発器と、前記凝縮器と前記膨張弁との間から非共沸混合冷媒の一部を取り出す取出配管と、該取出配管に設けられた取出配管用開閉弁と、前記取出配管に接続され、非共沸混合冷媒を貯留して気液分離する気液分離器と、前記膨張弁と前記蒸発器との間と前記気液分離器内のガス相部とを接続し、前記気液分離器によって分離された非共沸混合冷媒のガス相を前記膨張弁と前記蒸発器との間へガス冷媒として戻すガス戻り配管と、該ガス戻り配管に設けられたガス戻り配管用開閉弁と、前記膨張弁と前記蒸発器との間と前記気液分離器内の液相部とを接続する液戻り配管と、前記液戻り配管に設けられた液戻り配管用開閉弁と、前記取出配管用開閉弁、前記ガス戻り配管用開閉弁および前記液戻り配管用開閉弁を制御する制御部とを備えていることを特徴とする。
【手続補正３】
【補正対象書類名】明細書
【補正対象項目名】００２２
【補正方法】変更
【補正の内容】
【００２２】
また、本発明の冷凍装置の制御方法は、沸点が異なる低沸点冷媒と高沸点冷媒とが混合された非共沸混合冷媒を圧縮する圧縮機と、該圧縮機から導かれた非共沸混合冷媒を凝縮させる凝縮器と、該凝縮器から導かれた非共沸混合冷媒を膨張させる膨張弁と、該膨張弁から導かれた非共沸混合冷媒を蒸発させる蒸発器と、前記凝縮器と前記膨張弁との間から非共沸混合冷媒の一部を取り出す取出配管と、該取出配管に設けられた取出配管用開閉弁と、前記取出配管に接続され、非共沸混合冷媒を貯留して気液分離する気液分離器と、前記膨張弁と前記蒸発器との間と前記気液分離器内のガス相部とを接続し、前記気液分離器によって分離された非共沸混合冷媒のガス相を前記膨張弁と前記蒸発器との間へガス冷媒として戻すガス戻り配管と、該ガス戻り配管に設けられたガス戻り配管用開閉弁と、前記膨張弁と前記蒸発器との間と前記気液分離器内の液相部とを接続する液戻り配管と、前記液戻り配管に設けられた液戻り配管用開閉弁とを備えた冷凍装置の制御方法であって、前記取出配管用開閉弁、前記ガス戻り配管用開閉弁および前記液戻り配管用開閉弁の開閉制御を行うことを特徴とする。
【手続補正４】
【補正対象書類名】図面
【補正対象項目名】図１
【補正方法】変更
【補正の内容】
【図１】
2018021721.tif 000001
【手続補正５】
【補正対象書類名】図面
【補正対象項目名】図２
【補正方法】変更
【補正の内容】
【図２】
2018021721.tif 000002
【手続補正６】
【補正対象書類名】図面
【補正対象項目名】図３
【補正方法】変更
【補正の内容】
【図３】
2018021721.tif 000003
【手続補正７】
【補正対象書類名】図面
【補正対象項目名】図４
【補正方法】変更
【補正の内容】
【図４】
2018021721.tif 000004
【手続補正８】
【補正対象書類名】図面
【補正対象項目名】図６
【補正方法】変更
【補正の内容】
【図６】
2018021721.tif 000005
【手続補正９】
【補正対象書類名】図面
【補正対象項目名】図７
【補正方法】変更
【補正の内容】
【図７】
2018021721.tif 000006
【手続補正１０】
【補正対象書類名】図面
【補正対象項目名】図８
【補正方法】変更
【補正の内容】
【図８】
2018021721.tif 000007
【手続補正１１】
【補正対象書類名】図面
【補正対象項目名】図９
【補正方法】変更
【補正の内容】
【図９】
2018021721.tif 000008